(57)【要約】【課題】  農業用水が貯えられている溜池において、農業用水を供給するたび、又は、排水するたびごとに溜池の底部に沈降している堆積物の処理を行うことができ、且つ、堆積物の処理にかかるコストを抑えることができる溜池の堆積物処理方法を提供する。【解決手段】  溜池１に貯えられている農業用水４を堰き止める堤防５上部に設置されたハンドル６を回転して堤防５下部に設けられている排水溝１１の排水口１２を密閉している排水溝開閉扉８を開方向へ移動させて、これによって発生する溜池１の底部の農業用水４の排水口１２から排水溝１１への水流及び撹拌装置１０によって撹拌された堆積物９と農業用水４とを混合して排水溝１１へ流出する放流工程と、排水溝１１へ流出した堆積物９及び農業用水４から農業用水４及び腐葉土と、砂利及び栗石等２８とを分離する分離工程と、を備える。【選択図】      図１
2005334846.tif 000002
【特許請求の範囲】
【請求項１】
溜池の底部に沈降している堆積物を排出処理する溜池の堆積物処理方法であって、
前記溜池に貯えられている農業用水を堰き止める堤防上部に設置されたハンドルを回転して堤防下部に設けられている排水溝の排水口を密閉している排水溝開閉扉を開方向へ移動させて、これによって発生する溜池の底部の農業用水の前記排水口から前記排水溝への水流及び撹拌手段によって撹拌された堆積物と前記農業用水とを混合して前記排水溝へ流出する放流工程と、
前記排水溝へ流出した堆積物及び農業用水から農業用水及び腐葉土と、砂利及び栗石等とを分離する分離工程と、
を備えたことを特徴とする溜池の堆積物処理方法。
【請求項２】
溜池の前記排水口近辺の底部に設けられたコンクリート底部上に前記排水口に向って溝部が形成されていることを特徴とする請求項１記載の溜池の堆積物処理方法。
【請求項３】
前記撹拌手段が、水流で作動するプロペラを有する撹拌装置であることを特徴とする請求項１又は２記載の溜池の堆積物処理方法。
【請求項４】
前記撹拌装置が、前記溝部に沿って設けられたことを特徴とする請求項３記載の溜池の堆積物処理方法。
【請求項５】
前記撹拌手段が、船上からの撹拌具であることを特徴とする請求項１又は２記載の溜池の堆積物処理方法。
【請求項６】
前記放流工程に先だって、又は、前記放流工程と平行して、溜池の現状水位の水際沿いを船で周回しながら該船上からの撹拌具で現状水位の水際沿い傾斜面に沈降している堆積物を撹拌する撹拌工程を備えたことを特徴とする請求項１乃至５いずれかに記載の溜池の堆積物処理方法。
【発明の詳細な説明】
【技術分野】
【０００１】
本発明は、農業用水を貯える溜池の底部に沈降している堆積物を有効に排出する溜池の堆積物処理方法に関する。
【背景技術】
【０００２】
ダム、湖沼等の閉塞水域には、落ち葉や動物の死骸等の多くの有機物や、土砂等が流入する。そして、それらが底部に堆積することによって、底部がかさ上げされ貯水量が減少したり、また、ヘドロが発生することがある。一般に有機物を多く含むヘドロが堆積している水の中では、溶存酸素がほとんどなくなり、嫌気性微生物の働きで有機物が分解されて、メタンやアンモニア、硫化水素等の悪臭ガスが発生する。
【０００３】
農業用水を貯える溜池にも、落ち葉や枯れ草等が流入し、それらが溜池の底部に堆積して腐葉土となり、他の有機物や土砂等の堆積物とともに底部をかさ上げし、貯水量が減少することが問題になっている。また、この場合においてもヘドロによる悪臭ガスの発生が懸念される。かかる問題を解決するために、定期的に堆積物の処理を行う必要がある。このような溜池の堆積物処理方法として、溜池の農業用水を抜いて底部に残存している堆積物を浚渫する堆積物処理方法がある。この方法は、図９に示すように、溜池１０１の農業用水１０２を堰き止める堤防１０３の溜池１０１側の法面に階段状部１０４が設けられ、その階段状部１０４の各段上面にそれぞれ設けられている排水口１０５を上から順に開くことにより放水して水位を下げ、階段状部１０４の最も底側の排水口１０６の位置まで水位を下げてから、底部にある排水口１０７を閉じている止水板１０８を外して放水し、水分を出来るだけ取り除いてから堆積物１０９の浚渫作業を行うものである。前記止水板１０８の溜池１０１側の周囲には粘土１１０が積まれており、堆積物１０９が前記排水口１０７から排水溝１１１に流入することを防止している。浚渫作業は、堆積物１０９をポンプで吸引したり、バケットで掬うことにより行われる。
【０００４】
また、別の方法として、電動の撹拌装置を用いた堆積物処理方法がある（特許文献１参照）。この方法は、揺動回転運動を行う回転体からなる前記撹拌装置を底部に設置し、これを駆動させることによって広範囲に渡って堆積物を撹拌して浮上あるいは移動させたのち、これをポンプで吸引し、スクリーン状の布の上に前記ポンプで吸引した堆積物を含んだ農業用水を流し込み、水分をろ過したのちケーキ状となった堆積物を別途処分するものである。
【特許文献１】特開２００２−６６２９２号公報
【発明の開示】
【発明が解決しようとする課題】
【０００５】
しかしながら、これらのような従来の堆積物処理方法では以下のような問題があった。先の例では、堆積物１０９を処理するには溜池１０１の農業用水１０２を一端放水して浚渫作業を行わなければならず、大変コストがかかり、そのため頻繁に行うことができない。頻度としては、何十年かに一度行う程度であり、堆積物１０９により底部がかさ上げされて溜池１０１の貯水量が減少し、必要な貯水量を満たさなくなったり、また、堆積物１０９が徐々にヘドロとなり悪臭ガスを放ちだしてもすぐに対応できない。また、溜池１０１の農業用水１０２を放水する際、農業用水１０２の需要量を超えた無駄な放水をすることになったり、また放水後の用水不足をまねくといったことが懸念される。さらに、浚渫作業時に用いるポンプやバケットでは、それらの近傍の堆積物１０９しか浚渫できず、作業効率が悪いという問題点がある。
【０００６】
また、後の例では、撹拌装置で堆積物を撹拌し、浮上あるいは移動させたのちポンプで搬送するため、堆積物の処理が容易に行われるが、ポンプを使用するには相応のコストがかかるという問題点がある。
【０００７】
本発明は、かかる問題に鑑みてなされたものであり、農業用水が貯えられている溜池において、農業用水を供給するたび、又は、排水するたびごとに溜池の底部に沈降している堆積物の処理を行うことができ、且つ、堆積物の処理にかかるコストを抑えることができる溜池の堆積物処理方法を提供することを目的とする。
【課題を解決するための手段】
【０００８】
上記目的を達成するためになされた本発明の請求項１の溜池の堆積物処理方法は、溜池の底部に沈降している堆積物を排出処理する溜池の堆積物処理方法であって、前記溜池に貯えられている農業用水を堰き止める堤防上部に設置されたハンドルを回転して堤防下部に設けられている排水溝の排水口を密閉している排水溝開閉扉を開方向へ移動させて、これによって発生する溜池の底部の農業用水の前記排水口から前記排水溝への水流及び撹拌手段によって撹拌された堆積物と前記農業用水とを混合して前記排水溝へ流出する放流工程と、前記排水溝へ流出した堆積物及び農業用水から農業用水及び腐葉土と、砂利及び栗石等とを分離する分離工程と、を備えたことを特徴とするものである。
【０００９】
請求項２の溜池の堆積物処理方法は、請求項１記載の溜池の堆積物処理方法において、溜池の前記排水口近辺の底部に設けられたコンクリート底部上に前記排水口に向って溝部が形成されていることを特徴とするものである。
【００１０】
請求項３の溜池の堆積物処理方法は、請求項１又は２記載の溜池の堆積物処理方法において、前記撹拌手段が、水流で作動するプロペラを有する撹拌装置であることを特徴とするものである。
【００１１】
請求項４の溜池の堆積物処理方法は、請求項３記載の溜池の堆積物処理方法において、前記撹拌装置が、前記溝部に沿って設けられたことを特徴とするものである。
【００１２】
請求項５の溜池の堆積物処理方法は、請求項１又は２記載の溜池の堆積物処理方法において、前記撹拌手段が、船上からの撹拌具であることを特徴とするものである。
【００１３】
請求項６の溜池の堆積物処理方法は、請求項１乃至５いずれかに記載の溜池の堆積物処理方法において、前記放流工程に先だって、又は、前記放流工程と平行して、溜池の現状水位の水際沿いを船で周回しながら該船上からの撹拌具で現状水位の水際沿い傾斜面に沈降している堆積物を撹拌する撹拌工程を備えたことことを特徴とするものである。
【発明の効果】
【００１４】
本発明の請求項１の溜池の堆積物処理方法によれば、農業用水を田畑等へ供給するたび、又は、排水するたびごとに堆積物を同時に排出できるので、底部に堆積物が溜まって溜池の底部が上がり貯水量が減少したり、ヘドロが発生することを防止できる。また、農業用水及び腐葉土と、砂利及び栗石等とに分離する処理を行うので、田畑等へ砂利及び栗石等が入り込むことがない。更に、溜池の水を抜いて堆積物の浚渫作業を行ったり、ポンプを使用するよりも堆積物の処理にかかるコストを大幅に軽減できる。また、堆積物を撹拌することで堆積物が流動しやすくなるので、排水口に堆積物が詰まることなく効率的に堆積物の処理を行うことができる。
【００１５】
請求項２の溜池の堆積物処理方法によれば、請求項１記載の溜池の堆積物処理方法の効果に加えて、溜池の排水口近辺の底部に設けられたコンクリート底部上に溝部が排水口に向って形成されているので、水流によって溜池の底部がえぐられることを防止でき、また、堆積物が排水口へ流動しやすくなるという利点がある。
【００１６】
請求項３の溜池の堆積物処理方法によれば、請求項１又は２記載の溜池の堆積物処理方法の効果に加えて、撹拌装置は、水流により作動するプロペラを有するので、排水口へ流れる水流の撹拌作用を強くすることができ、また、電力により作動するプロペラを有する撹拌装置に比べて、電力消費によるコストがかからないという利点がある。
【００１７】
請求項４の溜池の堆積物処理方法によれば、請求項３記載の溜池の堆積物処理方法の効果に加えて、撹拌装置は、前記溝部に沿って設けられるので、溝部周辺の水流を強く受けることができ、高い撹拌効果を得ることができる。
【００１８】
請求項５の溜池の堆積物処理方法によれば、請求項１又は２記載の溜池の堆積物処理方法の効果に加えて、船上からの撹拌具で堆積物を撹拌するので、船を移動させることで広範囲にわたって堆積物を撹拌できる。
【００１９】
請求項６の溜池の堆積物処理方法によれば、請求項１乃至５いずれかに記載の溜池の堆積物処理方法の効果に加えて、溜池の現状水位の水際沿いを船で周回しながら船上からの撹拌具で現状水位の水際沿い傾斜面に沈降している堆積物を撹拌するので、傾斜面の勾配が緩く堆積物が流下しにくい場合でも、傾斜面に沈降している堆積物を流下しやすい状態にでき、堆積物を傾斜面に残留させることなく処理できる。また、前記放流工程と平行して撹拌工程を行う場合、溜池の貯水量が減少し水位が下方へ移動するのに合わせて船で水際沿いを周回するので、現状水位に応じて水際沿い傾斜面の堆積物を流下しやすい状態にでき、傾斜面に堆積物を残留させることなく処理できる。
【発明を実施するための最良の形態】
【００２０】
以下、本発明の実施の形態に係る溜池の堆積物処理方法について図１乃至図８に基づいて説明する。
図１乃至図３は、本発明の実施の形態における溜池１の一実施例を示すものであるが、図示するように、溜池１は、該溜池１の底部に設けられたコンクリート底部２と、該コンクリート底部２上に形成された溝部３と、溜池１に貯えられている農業用水４を堰き止める堤防５と、該堤防５上部に設けられたハンドル６と、該ハンドル６に接続されたシャフト７と、該シャフト７の下端部に接続された排水溝開閉扉８と、溜池１に堆積した堆積物９を撹拌する撹拌装置１０と、堤防５下部に設けられている排水溝１１と、該排水溝１１と溜池１を接続する排水口１２とを主体に構成されている。図４は、前記排水溝１１下流に設けられた沈殿槽１３の一実施例を示すものである。図５は、船１４及び撹拌具１５の一実施例を示すものである。
【００２１】
溜池１には、図１に示すように、農業用水４が貯えられているが、底部に落ち葉や枯れ草等が堆積して腐葉土となり、他の有機物や土砂等とともに堆積物９となっている。また、溜池１の底部は、図１及び図７に示すように、堆積物９が排水口１２へ流れやすくなるよう勾配を有した傾斜面を形成している。更に、溜池１の底部には、図１乃至図３に示すように、排水口１２近辺にコンクリート底部２が設けられており、コンクリート底部２上に少なくとも一つは前記排水口１２に向っている溝部３が形成されている。このコンクリート底部２は、排水口１２が開放されて排水口１２に向って水流が起こった場合に、水流により溜池１の底部がえぐられないように設けられる。溝部３は、堆積物９が排水口１２に向って流れやすくなるよう形成され、この溝部３の幅及び深さは、堆積物９が流れやすいように適宜設定される。
【００２２】
堤防５は、溜池１に貯えられている農業用水４を堰き止めており、図２及び図３に示すように、溜池１の水位が満水を越えないようにオーバーフロー用の水路１６が設けられている。また、堤防５には、図１乃至図３に示すように、堤防５の溜池１側の法面に階段状部１７が設けられており、その階段状部１７の各段上面に排水口１８がそれぞれ設けられている。それら排水口１８を上から順に開くことにより放水して溜池１の水位を下げることができる。
【００２３】
ハンドル６は、図１及び図３に示すように、堤防５の上部に、排水口開放作業時に作業者が溜池１に入ることがないよう水面より上に設置される。このハンドル６の直径は、回転させやすい範囲で適宜決定される。また、このハンドル６は、長い年月風雨にさらされるので十分な耐候性を有する材質のものとし、また、握りやすいように把手状の部位が設けられてもよい。
【００２４】
シャフト７は、ハンドル６の回転にともなってシャフト７の軸方向にシャフト７を移動させる機構１９を介してハンドル６に接続されている。この機構１９は、ハンドル６の回転を歯車等を用いてシャフト７の軸方向への移動に変換するものであり、その機能を有していれば手段は特に問われるものではない。また、シャフト７は、堤防５の階段状部１７の段鼻上方に金具２０でシャフト７の軸方向に移動可能に設置される。シャフト７及び金具２０は、十分な耐候性を有する材質のものとする。
【００２５】
排水溝開閉扉８は、シャフト７の下端部に接続されており、ハンドル６を回転させることによってシャフト７が勾配上方へ移動し、シャフト７の下端部に接続された排水溝開閉扉８も開方向へ移動して排水口１２が開放される。この排水溝開閉扉８は、排水口１２より十分に大きく、閉時においては止水が完璧に行われるよう排水口１２を密閉するものとする。
【００２６】
撹拌装置１０は、図３に示すように、水流で作動するプロペラ部２１を有するものであり、コンクリート底部２上に形成されている溝部３に沿って設けられている。
【００２７】
排水溝１１は、排水口１２を介して溜池１と接続されており、既製の鋼管やコンクリート管等を用いて形成され、流量に応じて管径は適宜決定される。
【００２８】
沈殿槽１３は、図４に示すように、蓋部２２と槽部２３からなり、排水溝１１の下流に設置される。蓋部２２は、グレーチングやコンクリート等で形成され、開口部２４が設けられている。排水溝１１から排出される農業用水４及び堆積物９は、この開口部２４から槽部２３に流入する。槽部２３は、コンクリートで桝状に形成されており、この槽部２３の大きさや深さは、流量等に応じて適宜決定される。この槽部２３は、側面の上部と下部にそれぞれ排水溝２５及び２６が接続されている。排水溝２６には止水板２７が設けられており、通常は閉じられている。槽部２３に流入した農業用水４及び堆積物９の量が所定量を超えると、排水溝２５から比重の小さい腐葉土及び農業用水４が流れ出し、比重の大きい砂利及び栗石等２８は沈殿し下部に堆積する。下部に堆積した砂利及び栗石等２８を処理する場合、蓋部２２を取り外して堆積した砂利及び栗石等２８を浚渫するか、又は、止水板２７を取り外して排水溝２６から砂利及び栗石等２８を放流し別途処理する。
【００２９】
船１４は、図５に示すように、一般的な小型船であり、安価に入手可能なものである。撹拌具１５は、船１４上からロープ２９に繋がれて溜池１の底部や傾斜面に下ろされ堆積物９を撹拌するために用いられ、船１４が動く際に引かれて堆積物９を撹拌する。この撹拌具１５は、堆積物９を撹拌するのに適した形状・材質とし、船１４で引く際に底部から大きく浮かない程度で、且つ、船１４で引くのに適した重量とする。
【００３０】
以下、上記構成による溜池１の堆積物処理方法の第１実施例について説明する。この方法は、溜池１から農業用水４及び堆積物９を排水溝１１へ放流する放流工程と、前記放流した農業用水４及び堆積物９から農業用水４及び腐葉土と、砂利及び栗石等２８とを分離する分離工程とからなる。以下、各工程について説明する。
〔放流工程〕
堤防５の上部に設置されたハンドル６を回転してシャフト７を勾配上方へ移動し、排水口１２を密閉している排水溝開閉扉８を開方向へ移動する。排水溝開閉扉８が開方向へ移動すると排水口１２が開放され、排水口１２を通って排水溝１１へ農業用水４及び堆積物９が流入する。その際発生する排水口１２への水流とともに、その水流によってコンクリート底部２上の溝部３に沿って設けられた撹拌装置１０のプロペラ部２１が回転し、堆積物９を撹拌する。水流及び撹拌装置１０によって撹拌された堆積物９は流動しやすく、農業用水４とともに混合され排水口１２から排水溝１１へ流出する。そして、必要とされる農業用水４の供給量に達したり、排水すべき量に達した場合、ハンドル６を逆方向に回転してシャフト７を勾配下方へ移動し、排水溝開閉扉８を閉方向へ移動して排水口１２を閉じる。
【００３１】
〔分離工程〕
排水溝１１へ流出した堆積物９及び農業用水４は、排水溝１１の下流に設置された沈殿層１３の蓋部２２に設けられた開口部２４から槽部２３へ流入する。流入した堆積物９及び農業用水４のうち比重の大きい砂利及び栗石等２８は、槽部２３下部に沈殿し、比重の小さい腐葉土及び農業用水４は、槽部２３の側面の上部に接続された排水溝２５から放流され、田畑等へと供給される。
【００３２】
以上の工程で、溜池１に沈降している堆積物９を処理することによって、溜池１の底部に堆積物９が溜まって底部が上がり貯水量が減少したり、ヘドロが発生することを防止でき、砂利及び栗石等２８が田畑等へ入り込むことがなくなる。また、溜池１の水を抜いて堆積物９の浚渫作業を行ったり、ポンプ等を使用するよりも堆積物９の処理にかかるコストを大幅に軽減できる。また、排水口１２に堆積物９が詰まることなく効率的に堆積物９の処理を行うことができる。更に、撹拌装置１０は、溝部３周辺の水流の作用を強く受けて排水口１２へ流れる水流の撹拌作用を強くすることができ、高い撹拌効果を得ることができる。
【００３３】
次に、溜池１の堆積物処理方法の第２実施例について説明する。この方法は、図６に示すように、前記放流工程において撹拌装置１０を用いる代わりに、船１４上からの撹拌具１５によって堆積物９を撹拌し、この放流工程及び前記分離工程により溜池１に沈降している堆積物９を処理するものである。以下、この放流工程について説明する。
〔放流工程〕
堤防５の上部に設置されたハンドル６を回転してシャフト７を勾配上方へ移動し、排水口１２を密閉している排水溝開閉扉８を開方向へ移動する。排水溝開閉扉８が開方向へ移動すると排水口１２が開放され、排水口１２を通って排水溝１１へ農業用水４及び堆積物９が流入する。それと平行して排水口１２上近辺を船１４で巡回し、船１４上からの撹拌具１５を船１４で引くことにより底部に沈降している堆積物９を撹拌する。水流及び撹拌具１５によって撹拌された堆積物９は流動しやすく、農業用水４とともに混合され排水溝１１へ流出する。そして、必要とされる農業用水４の供給量に達したり、排水すべき量に達した場合、ハンドル６を逆方向に回転してシャフト７を勾配下方へ移動し、排水溝開閉扉８を閉方向へ移動して排水口１２を閉じる。
【００３４】
以上の放流工程及び前記分離工程により溜池１に沈降している堆積物９を処理することによって、溜池１の底部に堆積物９が溜まって底部が上がり貯水量が減少したり、ヘドロが発生することを防止でき、砂利及び栗石等２８が田畑等へ入り込むことがなくなる。また、溜池１の水を抜いて堆積物９の浚渫作業を行ったり、ポンプ等を使用するよりも堆積物９の処理にかかるコストを大幅に軽減できる。また、排水口１２に堆積物９が詰まることなく効率的に堆積物９の処理を行うことができる。更に、船１４を移動させることで広範囲にわたって堆積物９を撹拌できる。
【００３５】
次に、溜池１の堆積物処理方法の第３実施例について説明する。この方法は、図５及び図７に示すように、前記放流工程に先だって、又は、前記放流工程と平行して、溜池１の現状水位３０の水際沿いを船１４で周回しながら船１４上からの撹拌具１５で現状水位３０の水際沿い傾斜面に沈降している堆積物９を撹拌する撹拌工程を行い、該撹拌工程、前記放流工程及び前記分離工程により溜池１に沈降している堆積物９を処理するものである。以下、この撹拌工程について説明する。
【００３６】
〔撹拌工程〕
船１４上からロープ２９の先に繋がれた撹拌具１５を傾斜面に下ろした状態で、船１４を溜池１の現状水位３０の水際沿いを周回させる。船１４が移動することにより、撹拌具１５が水際沿い傾斜面上を引かれて該傾斜面に沈降している堆積物９を撹拌する。前記放流工程と平行してこの撹拌工程を行う場合、放流工程により次第に溜池１の貯水量が減少し、水位が下方へ移動するのに合わせて船１４を周回させる。撹拌具１５は、船１４に引かれても大きく浮かない程度の重量であるため、溜池１の傾斜面に多少の凹凸がある場合でもその凹凸に対応でき、現状水位３０の水際沿い傾斜面に沈降している堆積物９を有効に撹拌できる。
【００３７】
上記の撹拌工程を前記放流工程に先だって行うことによって、溜池１の現状水位３０の水際沿い傾斜面に沈降している堆積物９を撹拌して流下しやすい状態にでき、傾斜面に堆積物９を残留させることなく処理できる。また、この撹拌工程を前記放流工程と平行して行うことにより、放流工程により次第に溜池１の貯水量が減少するのに合わせて船１４が水際沿いを周回するので、現状水位３０に応じて水際沿い傾斜部の堆積物９を流下しやすい状態にでき、傾斜面に堆積物９を残留させることなく処理できる。
【００３８】
なお、本発明は上記実施例に限定されるものではなく、本発明の要旨の範囲内で種々の変形実施が可能となる。例えば、撹拌具１５は、図８で示すように、モータ等で回転するプロペラを有する撹拌具１５ａでもよい。また、説明した実施例では堤防５に階段状部１７を設けているが、従来技術を改良して本発明を実施する場合を示したものであり、特に本発明を実施するにあたって必要なものではなく、堤防５の法面上にシャフト７が金具２０を介して設置されてもよい。
【図面の簡単な説明】
【００３９】
【図１】本発明の実施の形態の第一実施例における溜池の概略構成を示す断面説明図である。
【図２】本発明の実施の形態の第一実施例における溜池の概略構成を示す平面説明図である。
【図３】本発明の実施の形態の第一実施例における溜池の概略構成を示す正面説明図である。
【図４】沈殿槽の一例を示す断面図である。
【図５】船上からの撹拌具の一例を示す断面図である。
【図６】本発明の実施の形態の第二実施例における溜池の概略構成を示す断面説明図である。
【図７】溜池の全体を示す平面図である。
【図８】船上からの撹拌具の一例を示す断面図である。
【図９】従来の溜池の概略構成を示す断面説明図である。
【符号の説明】
【００４０】
１    溜池
２    コンクリート底部
３    溝部
４    農業用水
５    堤防
６    ハンドル
８    排水溝開閉扉
９    堆積物
１０    撹拌装置
１１    排水溝
１２    排水口
１３    沈殿層
１４    船
１５    撹拌具
２１    プロペラ部
２８    砂利及び栗石等
【図１】
2005334846.tif 000003
【図２】
2005334846.tif 000004
【図３】
2005334846.tif 000005
【図４】
2005334846.tif 000006
【図５】
2005334846.tif 000007
【図６】
2005334846.tif 000008
【図７】
2005334846.tif 000009
【図８】
2005334846.tif 000010
【図９】
2005334846.tif 000011